(57)【特許請求の範囲】
【請求項１】
室内の壁に設けられた壁コンセントと、この壁コンセントへの付設用の電気機器を取り付けるための取付パネルとを備え、前記壁コンセントは、室内の壁に形成された開口内に配置したコンセント本体と、このコンセント本体に設けられた固定用締め部材と、この固定用締め部材に対向して壁の裏面側に設けられた固定用挟み部材と、前記固定用締め部材から固定用挟み部材に亘って螺挿されたコンセント固定用のねじとを有し、前記コンセント固定用のねじの締め付けにより前記固定用締め部材と固定用挟み部材とで壁の開口縁が挟着されてコンセント本体が壁に固定され、前記取付パネルはその一部が前記固定用締め部材と前記壁の表面との間に挿入され、前記コンセント固定用のねじの締め付けによりその締め部材と壁の表面とで挟着されて壁の表面に固定され、さらにこの取付パネルは壁コンセントの下部側に配置する第１のパネルと上部側に配置する第２のパネルとに分割され、そのそれぞれが固定用締め部材と壁の表面との間に挟着されているとともに、固定用締め部材と壁の表面との間への挿入時の横方向へのスライド動作でコンセント固定用のねじに引掛って係合する係合部が前記各パネルに形成されていることを特徴とする壁コンセント付設用電気機器の取付装置。
【請求項２】
室内の壁に設けられた壁コンセントと、この壁コンセントへの付設用の電気機器を取り付けるための取付パネルとを備え、前記壁コンセントは、室内の壁に形成された開口内に配置したコンセント本体と、このコンセント本体に設けられた固定用締め部材と、この固定用締め部材に対向して壁の裏面側に設けられた固定用挟み部材と、前記固定用締め部材から固定用挟み部材に亘って螺挿されたコンセント固定用のねじとを有し、前記コンセント固定用のねじの締め付けにより前記固定用締め部材と固定用挟み部材とで壁の開口縁が挟着されてコンセント本体が壁に固定され、前記取付パネルはその一部が前記固定用締め部材と前記壁の表面との間に挿入され、前記コンセント固定用のねじの締め付けによりその締め部材と壁の表面とで挟着されて壁の表面に固定され、さらにこの取付パネルは壁コンセントの下部側に配置する第１のパネルと上部側に配置する第２のパネルとに分割され、そのそれぞれの一部が固定用締め部材と壁の表面との間に挟着されているとともに、壁コンセントの下部側に配置する一方の第１のパネルには固定用締め部材と壁の表面との間への挿入時の横方向へのスライド動作でコンセント固定用のねじに引掛って係合する係合部が、壁コンセントの上部側に配置する他方の第２のパネルには固定用締め部材と壁の表面との間への挿入時の縦方向へのスライド動作でコンセント固定用のねじに係合する係合部がそれぞれ形成されていることを特徴とする壁コンセント付設用電気機器の取付装置。
【請求項３】
室内の壁に設けられた壁コンセントと、この壁コンセントへの付設用の電気機器を取り付けるための取付パネルとを備え、前記壁コンセントは、室内の壁に形成された開口内に配置したコンセント本体と、このコンセント本体に設けられた固定用締め部材と、この固定用締め部材に対向して壁の裏面側に設けられた固定用挟み部材と、前記固定用締め部材から固定用挟み部材に亘って螺挿されたコンセント固定用のねじとを有し、前記コンセント固定用のねじの締め付けにより前記固定用締め部材と固定用挟み部材とで壁の開口縁が挟着されてコンセント本体が壁に固定され、前記取付パネルはその一部が前記固定用締め部材と前記壁の表面との間に挿入され、前記コンセント固定用のねじの締め付けによりその締め部材と壁の表面とで挟着されて壁の表面に固定され、さらにこの取付パネルは壁コンセントの左右側に配置する第１のパネルと第２のパネルとに分割され、そのそれぞれの一部が固定用締め部材と壁の表面との間に挟着されているとともに、その第１のパネルと第２パネルとの配置を左右に交換することが可能となっていることを特徴とする壁コンセント付設用電気機器の取付装置。
【発明の詳細な説明】
【０００１】
【発明の属する技術分野】
この発明は、室内の壁コンセントに付設して使用する電力量測定装置やガス検診器等の電気機器をその壁コンセントに隣接して取り付けるための壁コンセント付設用電気機器の取付装置に関する。
【０００２】
【従来の技術】
各家庭のエアコン、テレビ、電子レンジ等の個別の電気製品の電気使用状況を把握し、電力供給の平準化等のピーク対策をとるために、その個別の各電気製品に対してそれぞれ電力量測定装置を接続し、電気使用状況の実態について調査をするような場合がある。
【０００３】
この場合、配電線搬送技術を利用した電力量測定装置が用いられ、この測定装置により電気製品の電力使用量が一定間隔で測定され、そのデータが屋内の電気配電線を利用してセンタ装置に伝送され、実態調査のデータとして集計処理される。
【０００４】
図２１には、電力量測定装置のセット時の状況を示してあり、１０１は電力量測定装置、１０２はその本体、１０３はこの本体１０２から導出した電気コード、１０４はこのコード１０３の先端部に取り付けられたプラグ、１０５は本体１０２の端面に設けられた接続コンセント、１０６は室内の壁に一部を埋め込んで取り付けられた壁コンセント、１０７はこの壁コンセント１０６に設けられた差込口、１０８は室内に設けられたエアコン等の電気製品、１０９はこのエアコン１０８から導出された電気コード、１１０はこのコード１０９の先端部に取り付けられたプラグである。
【０００５】
電力量測定装置１０１をセットする際には、測定装置１０１のプラグ１０４を壁コンセント１０６の差込口１０７に差込んで接続し、また電気製品１０８のプラグ１１０を電力量測定装置１０１の差込口１０５に差込んで接続する。そしてこのセットした電力量測定装置１０１で電気製品１０８の電気使用状況を測定する。
【０００６】
このように測定装置１０１は壁コンセント１０６の近傍に設けるものであるが、その測定装置１０１を室内の床上に置いたままであると、配線が煩雑で邪魔となり、また電気製品１０８の電気コード１０９が測定装置１０１に届かないようなことがある。
【０００７】
このため従来においては、図２２（Ａ）に示すように、壁コンセント１０６の近傍に測定装置１０１を複数のねじ１１２、または強力な両面テープ等で室内の壁に取り付けたり、あるいは図２２（Ｂ）に示すように、壁コンセント１０６の近傍の室内の壁に専用金具１１３を複数のねじ１１４で取り付け、この金具１１３に測定装置１０１を複数のねじ１１５で取り付けるようにしている。
【０００８】
図２３には、ガスの自動検診システムの場合を示してあり、この場合は電話機１２０の近傍に電気機器としての通信網端末装置１０１ａと、これに接続した無線装置（親機）１０１ｂとが設置され、無線装置１０１ｂの子機１０１ｂ′がガスメータ１２１に付設されている。
【０００９】
そして、図２３（Ｂ），（Ｃ）に示すように、通信網端末装置１０１ａは１本のモジュラーコード１２２を介して電話機１２０に接続されているとともに、他の１本のモジュラーコード１２３を介して室内のモジュラー式の壁コンセント１０６に接続されている。
【００１０】
このような場合においても、図２３（Ｃ）に示すように、電気機器としての通信網端末装置１０１ａおよび無線装置１０１ｂを室内の床の上に設置すると、配線が煩雑で邪魔となり、このため一般には図２３（Ｂ）に示すように、通信網端末装置１０１ａおよび無線装置１０１ｂを室内の壁に複数のねじ１２４で取り付けて固定するようにしている。
【００１１】
さらに図２４に示す例は、電気機器がガス検知器１０１ｃの場合であり、このガス検知器１０１ｃから導出された電気コード１０３の先端のプラブ１０４が室内の壁コンセント１０６に接続されている。
【００１２】
この場合においても、電気機器としてのガス検知器１０１ｃを室内の床の上に設置すると、配線が煩雑で邪魔となるから、そのガス検知器１０１ｃを室内の壁にねじや両面テープを用いて固定し、さらに電気コード１０３を粘着テープや金具等の複数の止め部材１２５で室内に壁に係止するようにしている。
【００１３】
【発明が解決しようとする課題】
このように従来においては、壁コンセント付設用の電気機器を室内の壁にねじや両面テープ、あるいは専用の取付金具を用いて取り付けて固定するようにしている。しかしながらこのような固定手段であると、室内の壁に穴をあけたり両面テープを貼り付けなければならないから、作業に手間がかかるばかりでなく、電力量測定装置のように一定期間の調査が終わり、その測定装置を室内の壁から取り外して撤去するような場合に、壁に穴が残ったり、両面テープの跡が残るなどして外観が悪くなって見苦しさが生じ、壁紙の張り替えが必要となってしまう。また、コードを壁に止め部材で係止するような場合も同様に撤去後の外観が悪くなる。
【００１４】
この発明はこのような点に着目してなされたもので、その目的とするところは、壁コンセント付設用の電気機器をその壁コンセントに隣接して容易に能率よくかつ見栄えよく取り付けることができるとともに、撤去後の外観も良好に保つことができる壁コンセント付設用電気機器の取付装置を提供することにある。
【００１５】
【課題を解決するための手段】
このような目的を達成するために、請求項１の発明は、室内の壁に設けられた壁コンセントと、この壁コンセントへの付設用の電気機器を取り付けるための取付パネルとを備え、前記壁コンセントは、室内の壁に形成された開口内に配置したコンセント本体と、このコンセント本体に設けられた固定用締め部材と、この固定用締め部材に対向して壁の裏面側に設けられた固定用挟み部材と、前記固定用締め部材から固定用挟み部材に亘って螺挿されたコンセント固定用のねじとを有し、前記コンセント固定用のねじの締め付けにより前記固定用締め部材と固定用挟み部材とで壁の開口縁が挟着されてコンセント本体が壁に固定され、前記取付パネルはその一部が前記固定用締め部材と前記壁の表面との間に挿入され、前記コンセント固定用のねじの締め付けによりその締め部材と壁の表面とで挟着されて壁の表面に固定され、さらにこの取付パネルは壁コンセントの下部側に配置する第１のパネルと上部側に配置する第２のパネルとに分割され、そのそれぞれが固定用締め部材と壁の表面との間に挟着されているとともに、固定用締め部材と壁の表面との間への挿入時の横方向へのスライド動作でコンセント固定用のねじに引掛って係合する係合部が前記各パネルに形成されていることを特徴としている。
【００１６】
請求項２の発明は、室内の壁に設けられた壁コンセントと、この壁コンセントへの付設用の電気機器を取り付けるための取付パネルとを備え、前記壁コンセントは、室内の壁に形成された開口内に配置したコンセント本体と、このコンセント本体に設けられた固定用締め部材と、この固定用締め部材に対向して壁の裏面側に設けられた固定用挟み部材と、前記固定用締め部材から固定用挟み部材に亘って螺挿されたコンセント固定用のねじとを有し、前記コンセント固定用のねじの締め付けにより前記固定用締め部材と固定用挟み部材とで壁の開口縁が挟着されてコンセント本体が壁に固定され、前記取付パネルはその一部が前記固定用締め部材と前記壁の表面との間に挿入され、前記コンセント固定用のねじの締め付けによりその締め部材と壁の表面とで挟着されて壁の表面に固定され、さらにこの取付パネルは壁コンセントの下部側に配置する第１のパネルと上部側に配置する第２のパネルとに分割され、そのそれぞれの一部が固定用締め部材と壁の表面との間に挟着されているとともに、壁コンセントの下部側に配置する一方の第１のパネルには固定用締め部材と壁の表面との間への挿入時の横方向へのスライド動作でコンセント固定用のねじに引掛って係合する係合部が、壁コンセントの上部側に配置する他方の第２のパネルには固定用締め部材と壁の表面との間への挿入時の縦方向へのスライド動作でコンセント固定用のねじに係合する係合部がそれぞれ形成されていることを特徴としている。
【００１７】
請求項３の発明は、室内の壁に設けられた壁コンセントと、この壁コンセントへの付設用の電気機器を取り付けるための取付パネルとを備え、前記壁コンセントは、室内の壁に形成された開口内に配置したコンセント本体と、このコンセント本体に設けられた固定用締め部材と、この固定用締め部材に対向して壁の裏面側に設けられた固定用挟み部材と、前記固定用締め部材から固定用挟み部材に亘って螺挿されたコンセント固定用のねじとを有し、前記コンセント固定用のねじの締め付けにより前記固定用締め部材と固定用挟み部材とで壁の開口縁が挟着されてコンセント本体が壁に固定され、前記取付パネルはその一部が前記固定用締め部材と前記壁の表面との間に挿入され、前記コンセント固定用のねじの締め付けによりその締め部材と壁の表面とで挟着されて壁の表面に固定され、さらにこの取付パネルは壁コンセントの左右側に配置する第１のパネルと第２のパネルとに分割され、そのそれぞれの一部が固定用締め部材と壁の表面との間に挟着されているとともに、その第１のパネルと第２パネルとの配置を左右に交換することが可能となっていることを特徴としている。
【００２３】
【発明の実施の形態】
以下、この発明の実施の形態について図１ないし図２０を参照して説明する。
【００２４】
図１ないし図８には、第１の実施形態を示してあり、この実施形態は壁コンセント付設用電気機器としての電力量測定装置１を壁コンセント２に隣接して取り付ける場合の例で、電力量測定装置１はその本体３内に電力量を測定する回路が内蔵されている。本体３は合成樹脂製のベース４と、このベース４の上に取り付けられた合成樹脂製のカバー５とからなり、ベース４の両端側の端部に取付突起６が一体に突出形成されている。
【００２５】
そして本体３の一端面からは電気コード７が導出し、この電気コード７の先端にプラブ８が取り付けられ、また本体３の他端面に差込口９が設けられている。
【００２６】
壁コンセント２は既成のものであって、この既成の壁コンセント２に対して取付パネル１０が設けられている。この取付パネル１０は、壁コンセント２の下部側に配置した第１のパネル１１と上部側に配置した第２のパネル１２とに分割されている。
【００２７】
また、１３は室内に設置された電気製品、１４はこの電気製品１３から導出された電気コード、１５はこの電気コード１４の先端に取り付けられたプラグである。
【００２８】
図６には壁コンセント２の分解状態の構造を示してあり、１６が室内の壁、１７がこの室内の壁１６に形成された開口、１８がコンセント本体で、このコンセント本体１８の前面に差込口１９が設けられている。
【００２９】
コンセント本体１８の両端部には固定用締め部材２２が取り付けられ、これら固定用締め部材２２に対向してそれぞれ固定用挟み部材２３が設けられている。これら固定用挟み部材２３の一端部には爪片２４が設けられ、これら爪片２４を介して図４および図５に示すように各固定用挟み部材２３がその対応する固定用締め部材２２に遊動自在に連結されている。
【００３０】
そしてコンセント本体１８は壁１６の開口１７内に配置され、各固定用締め部材２２が壁１６の表面側に、各固定用挟み部材２３が壁１６の裏面側に配され、この状態で各固定用締め部材２２から各固定用挟み部材２３に亘ってそれぞれコンセント固定用のねじ２５が螺挿され、これらねじ２５の締め付けにより締め部材２２と挟み部材２３とで開口１７の周縁の壁１６が強固に挟着され、この挟着でコンセント本体１８が壁１６に固定される構造となっている。
【００３１】
そしてコンセント本体１８の表面側にはその周囲を囲んで固定用締め部材２２を覆うフレーム２６がねじ２７を介して取り付けられ、さらにこのフレーム２６の上に化粧板２８が複数の係合爪２８ａを介して取り付けられ、この化粧板２８に形成されている開口２８ｂを通してコンセント本体１８の表面が外部に露出するようになっている。
【００３２】
第１および第２のパネル１１，１２の構造を図７および図８に示してあり、これらパネル１１，１２はそれぞれ板金製であって、壁コンセント２の下側に付設する第１のパネル１１はその長さ寸法が大きく、壁コンセント２の上側に付設する第２のパネル１２はその長さ寸法が小さく形成されている。
【００３３】
そしてこれらパネル１１，１２の一端縁にはコンセント本体１８の端部の介入が可能な切欠部３１，３２が形成されているとともに、さらにこれら切欠部３１，３２の奥行側の端縁に係合部としてＬ形に屈曲する鉤状の切込み３３，３４が形成されている。
【００３４】
各パネル１１，１２の周縁には、切欠部３１，３２の部分の縁部を除いてその背面側に直角に折曲する高さ寸法の小さな補強用の折曲片３５が一体に形成され、また第１のパネル１１には、図８に示すようにバーリング加工によりその背面側に突出する複数のねじ孔３６が形成されている。そしてこれらパネル１１，１２には、その背面を除く全体すなわち外表面から外周面、さらに折曲片３５の端面に亘る部分に壁紙（図示せず）が貼り付けられている。
【００３５】
パネル１１，１２を室内の壁１６に既に取り付けられている壁コンセント２に付設する際には、まずコンセント固定用のねじ２５を緩め、固定用締め部材２２と壁１６の表面との間にパネル１１，１２の挿入が可能な隙間をあける。
【００３６】
次に、コンセント本体１８の下部側における固定用締め部材２２と壁１６との隙間内にその下側から第１のパネル１１の一端側の端部、すなわち切欠部３１が形成されている側の端部を挿入して切欠部３１の内側にコンセント本体１８を介入させるととともに、さらにパネル１１を縦方向および横方向にスライドさせて鉤状の切込み３３内にコンセント固定用のねじ２５の軸部を介入させる。
【００３７】
また、同様に、コンセント本体１８の上部側における固定用締め部材２２と壁１６との隙間内に第２のパネル１２の一端側の端部を挿入して切欠部３２の内側にコンセント本体１８を介入させるととともに、さらにパネル１２を縦方向および横方向にスライドさせて鉤状の切込み３４内にコンセント固定用のねじ２５の軸部を介入させる。
【００３８】
そしてこの後、コンセント固定用の各ねじ２５を締め付ける。この締め付けにより、図４に示すように、各固定用締め部材２２と固定用挟み部材２３とで壁１６および各パネル１１，１２が強く挟着され、この挟着によりコンセント本体１８と共に各パネル１１，１２が壁に固定される。
【００３９】
次に、コンセント本体１８の周囲を囲んで固定用締め部材２２の上にフレーム２６を配置し、このフレーム２６から固定用締め部材２２に亘ってねじ２７を螺挿し、締め付けてフレーム２６を固定する。
【００４０】
さらにこの後、フレーム２６の上に化粧板２８を取り付け、この化粧板２８でフレーム２６を覆うとともに、この化粧板２８の開口２８ｂを通してコンセント本体１８の表面を外部に露出させる。
【００４１】
このようにして壁コンセント２に対してパネル１１，１２を付設した後に、図１ないし図３に示すように、第１のパネル１１の表面の上に、電気機器としての電力量測定装置１を配置し、この測定装置１の各取付突起６からパネル１１の各ねじ孔３６に亘ってねじ３９を螺挿し、これらねじ３９の締め付けにより測定装置１をパネル１１に固定する。
【００４２】
そして測定装置１１の電気コード７のプラグ８を壁コンセント２の差込口１９に差し込んで接続し、また室内の電気製品１３の電気コード１４のプラグ１５を測定装置１の差込口９に差し込んで接続する。これにより測定装置１を介して電気製品１３に電力が供給されるとともに、この測定装置１により電気製品１３の電気使用量が測定される。
【００４３】
このような構成においては、既成の壁コンセント２に設けられているコンセント固定用のねじ２５を利用してパネル１１，１２を壁１６に固定することができ、したがって壁１６にその専用のねじ孔をあける必要がなく、このため作業の手間が省け、能率よくパネル１１，１２を壁１６に取り付けることができる。
【００４４】
各パネル１１，１２は壁コンセント２の締め部材２２と挟み部材２３とで挟着されているとともに、Ｌ形に屈曲した鉤状の切込み３３，３４がコンセント固定用のねじ２５の軸部に係合しており、このため壁１６に対する取付状態が安定し、ずれ動いたり脱落するようなことがない。
【００４５】
また、各パネル１１，１２の鉤状の切込み３３，３４をコンセント固定用のねじ２５の軸部に係合させることにより、これらパネル１１，１２の上下方向の動きを規制することができ、したがってその取付時にパネル１１，１２を特に手で保持するような手間を要することなく、コンセント固定用のねじ２５を締め付けて各パネル１１，１２を壁１６に能率よく固定することができる。
【００４６】
そしてパネル１１，１２は壁コンセント２に対して一体的に組み付けられるから、その全体が一体感のある調和のとれた良好な外観となる。各パネル１１，１２は板金製であるが、壁１６と接触する折曲片３５の端面には壁紙が貼り付けられており、したがって壁１６の壁紙に傷を付けるようなことがなく、またパネル１１，１２の外表面にも壁紙が貼り付けられているから、室内の壁１６に対する違和感もなく、より一層良好な外観を保つことができる。
【００４７】
さらに、各パネル１１，１２の折曲片３５はその高さ寸法が小さくなっており、したがってコンセント固定用のねじ２５を緩めて締め部材２２と壁１６の表面との間に隙間をあけてパネル１１，１２を挿入する際に、その隙間をそれ程大きくあける必要がなく、このためコンセント固定用のねじ２５を緩め過ぎて挟み部材２３がねじ２５から離脱するというような問題を招くことがない。
【００４８】
一方、パネル１１，１２はコンセント固定用のねじ２５を利用して壁１６に取り付けているものであるから、これらパネル１１，１２を撤去したときに、壁１６にねじ孔が残ったり、あるいは両面テープを用いた場合のような汚れ跡が残るようなことがなく、パネル１１，１２の撤去後においても壁１６を綺麗な状態に保つことができる。
【００４９】
なお、パネル１１，１２の撤去は、その取付時の逆手順により容易に行なうことができ、その撤去後には壁コンセント２をその固定用のねじ２５を用いて再度容易に壁１６に固定することができる。
【００５０】
図９には第２の実施形態を示してあり、この実施形態においては、壁コンセント２の上部側に付設する第２のパネル１２における切込み３４が上下方向のみに延びる直線形状となっている。
【００５１】
したがって、この実施形態の場合には、第２のパネル１２の端部を固定用締め部材２２と壁１６との隙間内に挿入して切込み３４をコンセント固定用のねじ２５に係合させるときに、その第２のパネル１２を下側に向けてスライドさせるだけでよく、横方向のスライドが不要となり、その分作業を容易に能率よく行なうことができる。
【００５２】
図１０には第３の実施形態を示してあり、この実施形態においては、第１および第２のパネル１１，１２がそれぞれ合成樹脂で一体に成形されている。そして各パネル１１，１２の背面には、図１０（Ｂ）に示すように補強用の複数のリブ１１ａ，１２ａが形成されている。
【００５３】
このようなパネル１１，１２においては、板金製のものに比べ軽量で取り扱いが容易となり、また背面に多数のリブ１１ａ，１２ａが設けられているから、壁１６に対する接触面積が増して面圧が小さくなり、このため壁１６に貼られている壁紙に対して締付け跡がほとんど生じることがなく、さらにパネル１１，１２が樹脂製であるから、その色彩や模様等を任意に選定でき、板金製の場合のような壁紙の貼り付けを不要とすることができる。
【００５４】
図１１ないし図１５には第４の実施形態を示してある。壁コンセント２が室内の床の近くに配設されているような場合には、その壁コンセント２の下方側に電力量測定装置等の電気機器を取り付けることがスペース的に困難となる。
【００５５】
そこで、この第４の実施形態においては、壁コンセント２の左右側にパネル１１，１２を付設するようにしてある。この場合の第１のパネル１１は、図１４および図１５に示すように、コンセント本体１８の上部および一側部を囲む囲み部４１を、第２のパネル１２はコンセント本体１８の下部および他側部を囲む囲み部４２を有している。そして第１のパネル１１の囲み部４１の上部の縁に係合部としてＬ形に屈曲する鉤状の切込み３３が形成され、第２のパネル１２の囲み部４２の下部の縁にＬ形に屈曲する鉤状の切込み３４が形成されている。
【００５６】
この実施形態の場合においても前記第１の実施形態の場合と同様に、パネル１１，１２を壁コンセント２に取り付けるときには、まずコンセント固定用のねじ２５を緩め、締め部材２２と壁１６の表面との間に隙間をあけ、その隙間内に第１のパネル１１および第２のパネル１２を挿入するとともに、縦方向および横方向にスライドさせて鉤状の切込み３３，３４をコンセント固定用のねじ２５に係合させ、この後、ねじ２５を締め付け、締め部材２２と挟み部材２３とで壁１６および各パネル１１，１２を挟着してコンセント本体１８と共に各パネル１１，１２を壁１６に固定する。
【００５７】
そして第１のパネル１１の表面の上に、図１１ないし図１３に示すように、電気機器としての電力量測定装置１を配置し、この測定装置１の各取付突起６からパネル１１の各ねじ孔３６に亘ってねじ３９を螺挿し、これらねじ３９の締め付けにより測定装置１をパネル１１に固定する。
【００５８】
このように壁コンセント２の側方に測定装置１を配置させる構成においては、壁コンセント２の下方側に充分なスペースがない場合であっても、その壁コンセント２に隣接して電気機器としての測定装置１を何ら妨げなく取り付けることができる。
【００５９】
そしてこの実施形態の場合、第１および第２のパネル１１，１２を図１４および図１５の状態からそれぞれ１８０°反転させることにより、図１６に示すように、第１のパネル１１を壁コンセント２に対して向って右側に配置する状態から左側に、第２のパネル１２を向って左側に配置する状態から右側にそれぞれその位置を変換して取り付けることができ、これにより電気機器としての測定装置１の取り付け位置を壁コンセント２の左右のいずれの位置にでも選択して取り付けることが可能となる。
【００６０】
図１７ないし図２０には第５の実施形態を示してあり、この実施形態においては、電気機器としての測定装置１の各取付突起６の根元部に、図１７ないし図１９に示すように溝状の切込み６ａが形成され、この切込み６ａにより必要に応じて取付突起６をその切込み６ａの部分からペンチ等を用いて折り取ることができるようになっている。
【００６１】
したがって、この実施形態の場合においては、図２０に示すように、室内の電気製品１３の配置の関係から壁コンセント２の下方や側方、あるいは壁コンセント２の近傍の床の上に、電気機器としての測定装置１をスペース的に配置させることができないときやそのスペースから測定装置１が突出してしまうような場合であっても、測定装置１の各取付突起６を切込み６ａの部分から折り取って除去し、測定装置１の実質的な長さの寸法を短縮することにより、そのスペース部分に測定装置１を配置させることができる。
【００６２】
【発明の効果】
以上説明したように請求項１の発明によれば、壁コンセント付設用の電気機器をその壁コンセントに隣接して容易に能率よくかつ見栄えよく取り付けることができるとともに、撤去後の外観も良好に保つことができる。そして、第１および第２のパネルに横方向へのスライド動作でコンセント固定用のねじに引掛って係合する係合部が形成されているから、その係合で壁に対する各パネルの取付状態を安定させてずれ動きや脱落を確実に防止でき、またその係合で各パネルの上下方向の動きを規制することができるから、その取付時にパネルを特に手で保持するような手間を要することなく、コンセント固定用のねじを締め付けて各パネルを壁に能率よく固定することができる。
【００６４】
請求項２の発明によれば、壁コンセントの上部側に配置したパネルにはその縦方向へのスライド動作でコンセント固定用のねじに係合する係合部が形成されているから、そのパネルの端部を壁コンセントの固定用締め部材と壁との隙間内に挿入してコンセント固定用のねじに係合させるときに、パネルを下側に向けてスライドさせるだけで横方向のスライドが不要となり、その分作業を容易に能率よく行なうことができる。
【００６５】
請求項３の発明によれば、第１のパネルと第２のパネルとを壁コンセントを境とする左右側に適宜交換して配置でき、したがって壁コンセントの周囲の状況に応じる適合位置に電気機器を取り付けることができる。
【図面の簡単な説明】
【図１】この発明の第１の実施形態に係る取付装置を設けた室内の状況を示す斜視図。
【図２】その取付装置の正面図。
【図３】その取付装置の側面図。
【図４】その取付装置の要部の断面図。
【図５】その取付装置の要部の分解状態の斜視図。
【図６】その取付装置における壁コンセントの分解状態の斜視図。
【図７】その取付装置における取付パネルの正面図。
【図８】その取付装置における取付パネルの斜視図。
【図９】この発明の第２の実施形態に係る取付装置における取付パネルの正面図。
【図１０】この発明の第３の実施形態に係る取付装置における取付パネルの正面図。
【図１１】この発明の第４の実施形態に係る取付装置を設けた室内の状況を示す斜視図。
【図１２】その取付装置の正面図。
【図１３】その取付装置の側面図。
【図１４】その取付装置における取付パネルの正面図。
【図１５】その取付パネルにおける第１のパネルと第２のパネルとを離間させた状態を示す正面図。
【図１６】その第１のパネルと第２のパネルとの配置の位置を左右変換させたときの状態を示す正面図。
【図１７】この発明の第５の実施形態に係る取付装置における電気機器の正面図。
【図１８】その電気機器の側面図。
【図１９】その電気機器の要部の斜視図。
【図２０】その第５の実施形態の作用を説明するための斜視図。
【図２１】従来技術の第１の例を示す斜視図。
【図２２】従来技術の第２の例を示す斜視図。
【図２３】従来技術の第３の例を示す斜視図。
【図２４】従来技術の第４の例を示す斜視図。
【符号の説明】
１…電力量測定装置（電気機器）
２…壁コンセント
６…取付突起
１０…取付パネル
１１…第１のパネル
１２…第２のパネル
１３…電気製品
１６…壁
１７…開口
１８…コンセント本体
２２…固定用締め部材
２３…固定用挟み部材
２５…コンセント固定用ねじ
３３，３４…切込み（係合部）
３５…折曲片
【図１】
0003810938.tif 000002
【図２】
0003810938.tif 000003
【図３】
0003810938.tif 000004
【図４】
0003810938.tif 000005
【図５】
0003810938.tif 000006
【図６】
0003810938.tif 000007
【図７】
0003810938.tif 000008
【図８】
0003810938.tif 000009
【図９】
0003810938.tif 000010
【図１０】
0003810938.tif 000011
【図１１】
0003810938.tif 000012
【図１２】
0003810938.tif 000013
【図１３】
0003810938.tif 000014
【図１４】
0003810938.tif 000015
【図１５】
0003810938.tif 000016
【図１６】
0003810938.tif 000017
【図１７】
0003810938.tif 000018
【図１８】
0003810938.tif 000019
【図１９】
0003810938.tif 000020
【図２０】
0003810938.tif 000021
【図２１】
0003810938.tif 000022
【図２２】
0003810938.tif 000023
【図２３】
0003810938.tif 000024
【図２４】
0003810938.tif 000025